(57)【要約】【課題】検体の識別の誤りを防止し、検体容器を収納した検体容器収納袋を簡易に封止めすることができる検体容器収納袋用ラベル、および、検体容器収納袋を提供する。【解決手段】ラベル基材１１は、ラベル本体１４と、これから粘着剤層１２と共に分離線１７，１８に沿ってそれぞれ分離可能な封とめ用シール１５および検体容器貼付用ラベル１６とから構成され、ラベル本体１４および検体容器貼付用ラベル１６の表面に検体容器を識別する同一の情報が表示され、封とめ用シール１５および検体容器貼付用ラベル１６の裏面に設けられた粘着剤層１２の粘着面１２ａ、並びに、ラベル本体１４の裏面１４ｂに設けられた粘着剤層１２の粘着面１２ａのうち封とめ用シール１５および検体容器貼付用ラベル１６の裏面１６ｂに設けられた粘着剤層１２の粘着面１２ａの周縁部分に、剥離紙１３が貼設されている。【選択図】図１
0003127944.tif 000002
【実用新案登録請求の範囲】
【請求項１】
裏面に粘着剤層が設けられてなるラベル基材と、前記粘着剤層の粘着面の一部に貼設された剥離紙とを備え、検体容器を収納する検体容器収納袋に貼付する検体容器収納袋用ラベルであって、
前記ラベル基材は、ラベル本体と、該ラベル本体から前記粘着剤層と共に分離線に沿ってそれぞれ分離可能な前記検体容器収納袋を封止めする封とめ用シールおよび検体容器貼付用ラベルとから構成され、前記ラベル本体および前記検体容器貼付用ラベルの表面に前記検体容器を識別する同一の情報が表示され、前記封とめ用シールおよび前記検体容器貼付用ラベルの裏面に設けられた粘着剤層の粘着面、並びに、前記ラベル本体の裏面に設けられた粘着剤層の粘着面のうち前記封とめ用シールおよび前記検体容器貼付用ラベルの裏面に設けられた粘着剤層の粘着面の周縁部分に、前記剥離紙が貼設されていることを特徴とする検体容器収納袋用ラベル。
【請求項２】
シート状の基材が接着または融着されてなり、前記基材の表面に請求項１記載の検体容器収納袋用ラベルが貼付され、かつ、検体容器が収納されてなることを特徴とする検体容器収納袋。
【考案の詳細な説明】
【技術分野】
【０００１】
本考案は、検便などの生化学的検査の検体を一時的に保存する検体容器を収納する検体容器収納袋に貼付する検体容器収納袋用ラベル、および、この検体容器収納袋用ラベルが貼付された検体容器収納袋に関する。
【背景技術】
【０００２】
従来、検便などの生化学的検査の検体は、採取された後、密閉可能な容器内に備えられた液状またはゲル状の保存剤中に浸漬または埋没されて一時的に保存される。この検体を収容した容器は、密閉された状態で収納袋に収納された後、検査機関へ配送される。そして、検査機関にて、検体を収容した容器は開封され、この容器内の検体に対して所定の検査が行われる。
【０００３】
このような検体を一時的に保存するための容器（以下、「検体容器」と称する。）の表面には、検体を識別するために、個別に検体を識別する情報（被験者の氏名、性別、通し番号など）が表示されたラベルが貼付されている。
また、検体容器を収納する収納袋（以下、「検体容器収納袋」と称する。）の表面にも、検体を識別するために、検体容器に貼付されているラベルに表示されているのと同一の情報が表示されている。
また、検体容器収納袋には、その内部に収納した検体容器が脱落することを防止するために、その開口部を閉じるためのジッパーなどが設けられている（例えば、特許文献１参照）。
【特許文献１】特開２００５−２２５５４２号公報
【考案の開示】
【考案が解決しようとする課題】
【０００４】
ところで、検査機関から被験者へ検体容器を配送するためには、人の手で容器を１本ずつ袋に詰めて各顧客の被験者の個人情報ラベルをその袋に手貼りしなければならず、そればかりか、顧客ごとに目視をしながら選別、梱包をしなければならなかった。この時、顧客数が膨大であるのと、それぞれの要望が異なるため、作業が繁雑になり、非効率的で誤配も頻繁に発生していた。
また、検体収納袋に、その開口部を閉じるためのジッパーを設けると、加工工程が複雑になり、製造コストが高くなるという問題があった。
【０００５】
本考案は、前記事情に鑑みてなされたもので、検体容器の識別の誤りを防止するとともに、検体容器を収納した検体容器収納袋を簡易に封止めすることができる検体容器収納袋用ラベル、および、この検体容器収納袋用ラベルが貼付された検体容器収納袋を提供することを目的とする。
【課題を解決するための手段】
【０００６】
本考案の検体容器収納袋用ラベルは、裏面に粘着剤層が設けられてなるラベル基材と、前記粘着剤層の粘着面の一部に貼設された剥離紙とを備え、検体容器を収納する検体容器収納袋に貼付する検体容器収納袋用ラベルであって、前記ラベル基材は、ラベル本体と、該ラベル本体から前記粘着剤層と共に分離線に沿ってそれぞれ分離可能な前記検体容器収納袋を封止めする封とめ用シールおよび検体容器貼付用ラベルとから構成され、前記ラベル本体および前記検体容器貼付用ラベルの表面に前記検体容器を識別する同一の情報が表示され、前記封とめ用シールおよび前記検体容器貼付用ラベルの裏面に設けられた粘着剤層の粘着面、並びに、前記ラベル本体の裏面に設けられた粘着剤層の粘着面のうち前記封とめ用シールおよび前記検体容器貼付用ラベルの裏面に設けられた粘着剤層の粘着面の周縁部分に、前記剥離紙が貼設されていることを特徴とする。
【０００７】
本考案の検体容器収納袋は、シート状の基材が接着または融着されてなり、前記基材の表面に本考案の検体容器収納袋用ラベルが貼付され、かつ、検体容器が収納されてなることを特徴とする。
【考案の効果】
【０００８】
本考案の検体容器収納袋用ラベルは、検体容器収納袋を封止めする封とめ用シール、および、検体容器に貼付する検体容器貼付用ラベルを備え、これらを一体に検体容器収納袋の表面に配することができる。したがって、検体容器の識別の誤りを防止することができるとともに、検体容器を収納した検体容器収納袋を簡易に封止めすることができる。
【考案を実施するための最良の形態】
【０００９】
本考案の検体容器収納袋用ラベルおよび検体容器収納袋の最良の形態について説明する。
なお、この形態は、考案の趣旨をより良く理解させるために具体的に説明するものであり、特に指定のない限り、本考案を限定するものではない。
【００１０】
本考案の検体容器収納袋用ラベルについて説明する。
図１は、本考案の検体容器収納袋用ラベルの一実施形態を示す概略図であり、（ａ）は平面図、（ｂ）は（ａ）のＸ−Ｘ線に沿う断面図である。
図１中、符号１０は検体容器収納袋用ラベル、１１はラベル基材、１２は粘着剤層、１３は剥離紙、１４はラベル本体、１５は封とめ用シール、１６は検体容器貼付用ラベル、１７，１８は分離線、をそれぞれ示している。
【００１１】
この検体容器収納袋用ラベル１０は、ラベル基材１１と、その裏面１１ｂに設けられた粘着剤層１２と、粘着剤層１２の粘着面１２ａの一部に貼設された剥離紙１３とから概略構成されている。また、検体容器収納袋用ラベル１０の一部には、ラベル基材１１の表面１１ａから粘着剤層１２の粘着面１２ａに渡って、切込からなる分離線１７，１８が設けられている。
この検体容器収納袋用ラベル１０は、検便などの生化学的検査の検体を一時的に保存する検体容器を収納する検体容器収納袋に貼付されて用いられるものである。
【００１２】
また、ラベル基材１１は、ラベル本体１４と、ラベル本体１４から粘着剤層１２と共に分離線１７，１８に沿ってそれぞれ分離可能な封とめ用シール１５および検体容器貼付用ラベル１６とから構成されている。
封とめ用シール１５は、検体容器を収納した後、検体容器収納袋を封止めするためのものである。
検体容器貼付用ラベル１６は、検体容器内の検体を識別するために、検体容器に貼付するためのものである。
【００１３】
ラベル本体１４の表面１４ａおよび検体容器貼付用ラベル１６の表面１６ａには、検体容器、すなわち、検体容器内に収容されている検体を識別するために、個別に検体を識別する同一の情報（被験者の氏名、性別、通し番号など）が表示されている。
なお、ラベル本体１４の表面１４ａにおいて、この識別情報が表示される位置は特に限定されず、適宜設定される。
【００１４】
封とめ用シール１５の裏面１５ｂおよび検体容器貼付用ラベル１６の裏面１６ｂに設けられた粘着剤層１２の粘着面１２ａ、並びに、ラベル本体１４の裏面１４ｂに設けられた粘着剤層１２の粘着面１２ａのうち、封とめ用シール１５の裏面１５ｂおよび検体容器貼付用ラベル１６の裏面１６ｂに設けられた粘着剤層１２の粘着面１２ａの周縁部分１９に剥離紙１３が貼設されている。
【００１５】
ラベル基材１１としては、例えば、紙基材、合成樹脂フィルム、これらの積層材や複合材、紙基材や合成樹脂フィルムを基体とした感熱紙などが挙げられる。
粘着剤層１２を形成する粘着剤としては、例えば、エマルジョン系、ゴム系、アクリル系などの粘着剤が用いられる。
剥離紙１３は、粘着剤層１２に接する面にシリコーンが塗布された紙基材などが用いられる。
【００１６】
次に、本考案の検体容器収納袋について説明する。
図２は、本考案の検体容器収納袋の一実施形態を示す概略平面図である。
なお、図２において、図１に示した検体容器収納袋用ラベル１０と同一の構成要素には同一符号を付して、その説明を省略する。
図２中、符号２０は検体容器収納袋、２１は袋本体、２２は封止部、２３は切取線、２４は検体容器、をそれぞれ示している。
【００１７】
この検体容器収納袋２０は、二つ折りにされたシート状の基材の三方の周縁部が接着または融着により封止されてなる袋本体２１と、この袋本体２１の一方の表面２１ａに貼付された、上記の検体容器収納袋用ラベル１０と、袋本体２１内に収納された検体容器２４とから概略構成されている。また、シート状の基材の三周辺が接着または融着により封止された部分は、検体容器収納袋２０の封止部２２をなしている。さらに、袋本体２１の長手方向の一端部には、開封する位置（方向）を示す切取線２３が、袋本体２１の短手方向に渡って印刷されている。
【００１８】
また、袋本体２１の一方の表面２１ａ、あるいは、一方の表面２１ａとは反対の表面（図示略）には、この検体容器収納袋用ラベル１０の使用方法を示す説明書き（図示略）や説明図（図示略）が表示されている。
【００１９】
袋本体２１をなすシート状の基材としては、紙基材、合成樹脂フィルム、これらの積層材や複合材などが挙げられるが、加工性に優れ、融着により容易に袋本体２１を形成することができることから、ポリエチレン、ポリプロピレン、ポリ塩化ビニル、ポリエチレンテレフタレートなどの熱可塑性樹脂からなるフィルムが好ましい。
【００２０】
なお、袋本体２１に設けられた切取線２３の始端部には、袋本体を引き裂くための始端となるＶ字状の切込（ノッチ）などが設けられていてもよい。
また、切取線２３は、袋本体２１を鋏などの器具を用いることなく容易に開封できるようにするために、ミシン目線、マジックカットなどであってもよい。
【００２１】
検体容器２４としては、一般的に検便などの生化学的検査の検体を一時的に保存するための容器であって、螺着あるいは嵌着などにより密閉可能であり、内部に液状またはゲル状の保存剤が備えられたものが用いられる。
【００２２】
次に、図３〜図７を参照して、本考案の検体容器収納袋の使用方法を説明する。
先ず、図３に示すように、切取線２３に沿って、検体容器収納袋２０の袋本体２１を切って開封し、袋本体２１から検体容器２４を取り出す。
【００２３】
次いで、図４に示すように、袋本体２１から取り出した検体容器２４の表面に、検体容器収納袋用ラベル１０から剥離した検体容器貼付用ラベル１６を貼付する。
このように、袋本体２１から検体容器２４を取り出して直ぐに、検体容器２４の表面に検体容器貼付用ラベル１６を貼付することにより、検体容器２４の取り違いなどを防ぐことができる。
【００２４】
次いで、採取した検体を検体容器２４に収容し、検体容器２４を密封した後、図５に示すように、検体容器２４を袋本体２１内に収納する。
次いで、図６に示すように、袋本体２１の開口部およびその近傍を折り返す。
最後に、図７に示すように、袋本体２１の折り返した開口部を、検体容器収納袋用ラベル１０から剥離した封とめ用シール１５により封止めする。
【００２５】
次に、図８を参照して、本考案の検体容器収納袋の製造方法について説明する。
図８は、本考案の検体容器収納袋の製造に用いられる製造装置の一例を示す概略構成図である。
図８中、符号３０は検体容器収納袋の製造装置、３１は袋製造装置、３２は搬送装置、３３はラベル貼付装置、をそれぞれ示している。
【００２６】
まず、袋製造装置３１により、シート状の基材を二つ折りにし、次いで、この基材の間に検体容器を投入した後、基材の三周辺を接着または融着により封止して、検体容器が封入された袋本体２１を作製する。
次いで、袋製造装置３１にて作製された袋本体２１は、ベルトコンベアなどの搬送装置３２によりラベル貼付装置３３へ搬送される。
【００２７】
次いで、ラベル貼付装置３３により、袋本体２１の表面の所定の位置に、上述の検体容器収納袋用ラベル１０が貼付され、検体容器収納袋２０が得られる。
このラベル貼付装置３３は、袋本体２１に検体容器収納袋用ラベル１０を貼付する工程（袋本体２１の送り速度、検体容器収納袋用ラベル１０を貼付する位置など）を制御する機能や、検体容器収納袋用ラベル１０に表示する情報（被験者の氏名、性別、通し番号など）を入力する機能を備えた制御部、袋本体２１に検体容器収納袋用ラベル１０を貼付する貼付部などが備えられている。この貼付部は、被貼付体（ここでは袋本体２１）の表面形状が凹凸をなしていても、袋本体２１の表面に検体容器収納袋用ラベル１０を皺が寄ることなく、正確に貼付することができる機能を備えている。
【００２８】
次いで、ラベル貼付装置３３にて得られた検体容器収納袋２０は、搬送装置３２により回収容器などに搬送され、回収される。
【産業上の利用可能性】
【００２９】
本考案の検体容器収納袋用ラベルおよび検体容器収納袋は、検体容器の発送、回収のためだけでなく、大量に発送、回収される物品を個別に識別する必要がある場合にも応用できる。
【図面の簡単な説明】
【００３０】
【図１】本考案の検体容器収納袋用ラベルの一実施形態を示す概略図であり、（ａ）は平面図、（ｂ）は（ａ）のＸ−Ｘ線に沿う断面図である。
【図２】本考案の検体容器収納袋の一実施形態を示す概略平面図である。
【図３】本考案の検体容器収納袋の使用方法を説明する概略斜視図である。
【図４】本考案の検体容器収納袋の使用方法を説明する概略斜視図である。
【図５】本考案の検体容器収納袋の使用方法を説明する概略斜視図である。
【図６】本考案の検体容器収納袋の使用方法を説明する概略斜視図である。
【図７】本考案の検体容器収納袋の使用方法を説明する概略斜視図である。
【図８】本考案の検体容器収納袋の製造に用いられる製造装置の一例を示す概略構成図である。
【符号の説明】
【００３１】
１０・・・検体容器収納袋用ラベル、１１・・・ラベル基材、１２・・・粘着剤層、１３・・・剥離紙、１４・・・ラベル本体、１５・・・封とめ用シール、１６・・・検体容器貼付用ラベル、１７，１８・・・分離線、２０・・・検体容器収納袋、２１・・・袋本体、２２・・・封止部、２３・・・切取線、２４・・・検体容器、３０・・・検体容器収納袋の製造装置、３１・・・袋製造装置、３２・・・搬送装置、３３・・・ラベル貼付装置。
【図１】
0003127944.tif 000003
【図２】
0003127944.tif 000004
【図３】
0003127944.tif 000005
【図４】
0003127944.tif 000006
【図５】
0003127944.tif 000007
【図６】
0003127944.tif 000008
【図７】
0003127944.tif 000009
【図８】
0003127944.tif 000010